(57)【要約】【課題】靴紐を備えた靴の形状をもつと共に、靴の脱ぎ履きもし易く、また見栄えも良い靴の提供を課題とする。【解決手段】甲部１０に、舌部３０と、舌部３０の両側に靴紐６０を通すための一対の靴紐挿通部２０とを備える靴１であって、外側靴紐挿通部２１は、舌部３０と直接的に連結されていると共に、爪先側で甲部１０と固定されており、且つ甲部１０の表面に着脱自在に係止可能な引っ張りベルト４０を更に備え、引っ張りベルト４０の開閉動作によって、外側靴紐挿通部２１と舌部３０とを一体的に開閉可能としてある靴１である。【選択図】      図３
2019154918.tif 000002
【特許請求の範囲】
【請求項１】
靴の甲部に、舌部と、前記舌部の両側に靴紐を通すための一対の靴紐挿通部とを備える靴であって、前記一対の靴紐挿通部の一方は、前記舌部と直接的若しくは間接的に連結されていると共に、爪先側で前記甲部と固定されており、且つ前記甲部の表面に着脱自在に係止可能な係止用片を更に備え、前記係止用片の開閉動作によって、前記一方の靴紐挿通部と前記舌部とを一体的に開閉可能としてあることを特徴とする靴。
【請求項２】
舌部は、靴の甲部の幅方向における左右両端のうち、一端側が靴紐挿通部と直接的に連結されていると共に、他端側が甲部に固定されていることを特徴とする請求項１に記載の靴。
【請求項３】
靴紐挿通部に備える係止用片と、甲部の表面との係止は、面ファスナーにより行うことを特徴とする請求項１又は２に記載の靴。
【請求項４】
係止用片を備える靴紐挿通部は、一足の靴を左右揃えた際に外側に位置する外側靴紐挿通部であることを特徴とする請求項１〜３の何れか１項に記載の靴。
【発明の詳細な説明】
【技術分野】
【０００１】
本発明は、靴紐を備える靴の形状をもちながら、脱ぎ履きし易い靴に関する。
【背景技術】
【０００２】
高齢者や要介護者においては、市販されている靴紐を備える靴の着用が困難な方々が多数おられる。それは、高齢者や要介護者にとっては、靴紐を結び或いは解くための動作や姿勢をとることが困難で重労働となることが一因となっている。
このような課題に対して、いわゆる面ファスナーの脱着だけで靴を脱ぎ履きできる靴が各種開発されている。
このような面ファスナーを備える靴を示す従来技術として、例えば下記特許文献１〜５がある。
【先行技術文献】
【特許文献】
【０００３】
【特許文献１】実用新案登録第３０３３９８４号公報
【特許文献２】特開２００１−１０４０１１号公報
【特許文献３】特開２００３−４７５０４号公報
【特許文献４】実用新案登録第３００５４６４号公報
【特許文献５】実用新案登録第３０９６２５０号公報
【発明の概要】
【発明が解決しようとする課題】
【０００４】
上記特許文献１は、舌片が靴内部にずれ込むことを防止し、履き易い靴を提供することが可能な靴に関する発明で、靴本体の一方の胛側１１より延設したバンド３に胛被前方の切欠き部２を被覆する舌片４と圧着面状ファスナー５を取り付け、この圧着面状ファスナー５と対をなす他方の胛側１１´に固定面状ファスナー６を装着し、舌片４をバンド３で緊締する構成が開示されている。しかしながら、上記特許文献１においては、確かに面ファスナーの脱着だけで靴を脱ぎ履きできるものの、外見が通常の靴紐を備える靴とは異なることから、見栄えが劣り、おしゃれ心を求める高齢者や要介護者に物足りなさを感じさせるという問題があった。
また上記特許文献２は、面ファスナーで着脱を行うけれども見た目はひも靴である靴を提供することが可能な靴に関する発明で、左右の甲被１、１と、爪先部を覆う甲被２と、外皮と芯材は遠位まで延びて踵部を覆う甲被３と、固定バンドとして甲部分を跨ぐように設けられているベルト４と、ベルト４を靴本体に取り付け、紐結びをするための靴紐５とを備える構成が開示されている。
また上記特許文献３は、足の甲部の緊締を十分にすると共に、靴の着脱を容易にして舌片の靴内への巻き込みを防止することが可能な靴に関する発明で、甲開口部を跨ぐように配置されると共に、雌型の面ファスナー７を備える甲バンド２と、甲バンド２と一部で固定される舌片３と、甲バンド２の雌型の面ファスナー７と係止する雄型の面ファスナー８と、伸縮紐６とを備える構成が開示されている。
また上記特許文献４は、足の甲部の緊締を充分にすると共に、着脱を容易にして舌片の靴内への巻き込みを防止することが可能な靴に関する発明で、靴の舌片１の表部に縫着されて甲バンドを挿通する甲バンド飾り４と、甲バンド飾りに挿通されると共に、外端に面ファスナーの係合片Ａを備える甲バンド３と、甲被の外側に取着されて甲バンド３の面ファスナーと係合する面ファスナーの係合片Ｂとを備える構成が開示されている。
しかしながら上記特許文献２〜４においては、ベルトや甲バンドが甲開口部を跨ぐような構成であるため、見栄えが悪く、紐靴の外観として自然な外観ではないという問題があった。
また上記特許文献５は、面ファスナー付きストラップの貼付け位置が正常位置からずれることのない運動靴に関する発明で、面ファスナー２３を有し、且つ靴本体１０から分離するストラップ片２１を備える面ファスナー付きストラップ２０と、ストラップ片２１と靴本体１０とを連結する靴紐２２と、面ファスナー２３と係止する靴本体１０に備える面ファスナー受け部１２とを備える構成が開示されている。しかしながら上記特許文献５においては、ストラップ片２１と舌部とが連結されていない構成であり、ストラップ片２１を持ち上げることによって舌部を持ち上げることができず、靴本体１０の開口部を効果的に広げることができないことで、靴の脱ぎ履きを容易に行うことができないという問題があった。
【０００５】
そこで本発明は上記従来における問題点を解決し、靴紐を備える靴の形状をもつと共に、靴の脱ぎ履きもし易く、また見栄えも良い靴の提供を課題とする。
【課題を解決するための手段】
【０００６】
上記課題を達成するため、本発明の靴は、靴の甲部に、舌部と、前記舌部の両側に靴紐を通すための一対の靴紐挿通部とを備える靴であって、前記一対の靴紐挿通部の一方は、前記舌部と直接的若しくは間接的に連結されていると共に、爪先側で前記甲部と固定されており、且つ前記甲部の表面に着脱自在に係止可能な係止用片を更に備え、前記係止用片の開閉動作によって、前記一方の靴紐挿通部と前記舌部とを一体的に開閉可能としてあることを第１の特徴としている。
また本発明の靴は、上記第１の特徴に加えて、舌部は、靴の甲部の幅方向における左右両端のうち、一端側が靴紐挿通部と直接的に連結されていると共に、他端側が甲部に固定されていることを第２の特徴としている。
また本発明の靴は、上記第１又は第２の特徴に加えて、靴紐挿通部に備える係止用片と、甲部の表面との係止は、面ファスナーにより行うことを第３の特徴としている。
また本発明の靴は、上記第１〜第３の何れか１つの特徴に加えて、係止用片を備える靴紐挿通部は、一足の靴を左右揃えた際に外側に位置する外側靴紐挿通部であることを第４の特徴としている。
【発明の効果】
【０００７】
上記第１の特徴による靴によれば、靴の甲部に、舌部と、前記舌部の両側に靴紐を通すための一対の靴紐挿通部とを備える靴であって、前記一対の靴紐挿通部の一方は、前記舌部と直接的若しくは間接的に連結されていると共に、爪先側で前記甲部と固定されており、且つ前記甲部の表面に着脱自在に係止可能な係止用片を更に備え、前記係止用片の開閉動作によって、前記一方の靴紐挿通部と前記舌部とを一体的に開閉可能としてあることから、  靴を脱ぎ履きする際に、係止用片の開閉という簡易な動作で、一方の靴紐挿通部と舌部とを一体的に開閉することができる。よって靴を脱ぎ履きする際に、足を出し入れする開口部を容易に広げることができ、一段と容易に靴を脱ぎ履きすることができる。また一方の靴紐挿通部に係止用片を備える構成であることから、係止用片が甲開口部を跨ぐような構成とならず、見栄えも良い靴とすることができる。
【０００８】
また上記第２の特徴による靴によれば、上記第１の特徴による作用効果に加えて、舌部は、靴の甲部の幅方向における左右両端のうち、一端側が靴紐挿通部と直接的に連結されていると共に、他端側が甲部に固定されていることから、係止用片を介して一方の靴紐挿通部と舌部とを一体的に開閉する際に、甲部と固定されている舌部の他端側を支点とすることができ、スムーズな開閉を実現することができる。また一方の靴紐挿通部と舌部とを開く場合に、舌部が必要以上に飛び出すことを効果的に防止することができる。更に靴を脱ぎ履きする際に、舌部を靴の中に巻き込むことを効果的に防止することができる。
【０００９】
また上記第３の特徴による靴によれば、上記第１又は第２の特徴による作用効果に加えて、靴紐挿通部に備える係止用片と、甲部の表面との係止は、面ファスナーにより行うことから、靴紐挿通部に備える係止用片と甲部の表面との係止をワンタッチで行うことができる。よって一段と脱ぎ履きし易い靴とすることができる。
また上記第４の特徴による靴によれば、上記第１〜第３の何れか１つの特徴による作用効果に加えて、係止用片を備える靴紐挿通部は、一足の靴を左右揃えた際に外側に位置する外側靴紐挿通部であることから、係止用片の開閉動作を一段とスムーズに行うことができる。
【図面の簡単な説明】
【００１０】
【図１】本発明の実施形態に係る靴を示す図で、（ａ）は正面図、（ｂ）は平面図、（ｃ）は斜視図である。
【図２】本発明の実施形態に係る靴を示す図で、（ａ）は係止用片を引き上げる途中の状態を示す平面図、（ｂ）は係止用片を引き上げる途中の状態を示す正面図である。
【図３】本発明の実施形態に係る靴を示す図で、（ａ）は係止用片を引き上げた状態を示す斜視図、（ｂ）は係止用片を引き上げた状態を示す平面図である。
【発明を実施するための形態】
【００１１】
以下、各図面を参照して、本発明の実施形態に係る靴を説明し、本発明の理解に供する。しかし、以下の説明は特許請求の範囲に記載の本発明を限定するものではない。
【００１２】
図１〜図３において、本発明の実施形態に係る靴１は、靴紐を備える靴の形状をもちながら、靴の脱ぎ履きを面ファスナーの脱着で行うことが可能な靴である。
図１〜図３に示されている靴１は、左の靴であり、この左の靴１と図示しない右の靴とで一足の靴となる。また本実施形態においては、靴１として、いわゆるスニーカーと呼ばれる靴を用いる構成としてある。
【００１３】
前記靴１は、甲部１０と、靴紐挿通部２０と、舌部３０と、引っ張りベルト４０と、靴底５０と、靴紐６０とで構成される。
【００１４】
前記甲部１０は、いわゆる靴のアッパー部分を構成するものである。
本実施形態においては、図２（ｂ）、図３に示すように、外側側面１１の表面に、引っ張りベルト４０を着脱自在に係止させるための係止部１１ａを備える。なお、本実施形態においては、係止部１１ａとして雌型の面ファスナーを用いる構成してある。より具体的には、引っ張りベルト４０（雄型の面ファスナー）の形状と相似形で、引っ張りベルト４０の大きさよりも一回り小さい大きさの面ファスナーを用いる構成としてある。
また本実施形態においては、図３に簡略化して示すように、外側側面１１における係止部１１ａを設ける位置に、外側側面１１の表面よりも凹ませた凹所Ｕを設け、この凹所Ｕに面ファスナーを取り付ける構成としてある。更に凹所Ｕに面ファスナーを取り付けた状態において、面ファスナーの表面が外側側面１１の表面よりも凹んだ状態となるように、凹所Ｕの深さよりも面ファスナーの厚みのほうが小さくなるように、厚みの薄い面ファスナーを用いる構成としてある。具体的には、係止部１１ａを構成する雌型の面ファスナーとしては、係止部１１ａの厚みと後述する引っ張りベルト４０に備える係止部４０ａの厚みとを足した厚みが、２．３ｍｍ〜２．５ｍｍ程度の厚みとなるものを用いることが望ましい。
また本実施形態においては、係止部１１ａを雌型の面ファスナーとし、引っ張りベルト４０の係止部４０ａを雄型の面ファスナーとする構成としたが、必ずしもこのような構成に限るものではなく、係止部１１ａを雄型の面ファスナーとし、係止部４０ａを雌型の面ファスナーとする構成としてもよい。
勿論、係止部１１ａは、面ファスナーに限るものではなく、引っ張りベルト４０に備える係止部４０ａの構成に合わせて適宜変更可能である。また係止部１１ａの形状、大きさ、配置位置も本実施形態のものに限るものではなく、適宜変更可能である。
【００１５】
前記靴紐挿通部２０は、靴紐を通すためのもので、本実施形態においては、外側靴紐挿通部２１と、内側靴紐挿通部２２との一対の靴紐挿通部２０を備える構成としてある。また図１に一部を示すように、本実施形態においては、外側靴紐挿通部２１と内側靴紐挿通部２２とに、それぞれ５つの紐通し孔２１ａ、２２ａを備える構成としてある。勿論、紐通し孔２１ａ、２２ａの数は本実施形態のものに限るものではなく、適宜変更可能である。
外側靴紐挿通部２１は、爪先側の先端部分で甲部１０に固定されている。具体的には、図１（ｂ）、図２の破線の円で囲む固定部分Ｆにおいて、外側靴紐挿通部２１が甲部１０に縫合されている。更に踵側の末端部分で舌部３０と直接的に連結されている。具体的には、図１（ｂ）、図１（ｃ）、図２、図３（ａ）の破線の円で囲む連結部分Ｇにおいて、舌部３０と縫合されて固定されている。つまり「直接的に連結」とは、外側靴紐挿通部２１と舌部３０とを固定させて連結させることを意味するものである。また図２（ｂ）に示すように、外側靴紐挿通部２１の先端部と末端部とを除く部分は、舌部３０との間に紐通し空間Ｋが形成されて、通常の靴と同様に靴紐６０が通されている。なお、甲部１０に対する外側靴紐挿通部２１の固定位置は、既述した固定部分Ｆに限るものではなく、外側靴紐挿通部２１の爪先側であれば適宜変更可能である。また外側靴紐挿通部２１と舌部３０との連結位置も既述した連結部分Ｇに限るものではなく、外側靴紐挿通部２１の踵側の末端部分であれば適宜変更可能である。
一方、内側靴紐挿通部２２は、紐通し孔２２ａよりも靴１の外周側の端辺が、爪先側から踵側にかけて一体的に甲部１０に縫合されて固定されている。また詳しくは図示していないが、内側靴紐挿通部２２と舌部３０との間において、通常の靴と同様に、靴紐６０が通されている。これによって本実施形態の靴１においては、通常の靴と同様に、靴紐６０を締めたり緩めたりすることによって、甲部１０の幅を任意の幅に調整することができる構成としてある。
更に本実施形態においては、図１〜図３に示すように、外側靴紐挿通部２１に、甲部１０の外側側面１１に設ける係止部１１ａと着脱自在に係止可能な引っ張りベルト４０を更に設ける構成としてある。具体的には、外側靴紐挿通部２１の外側端辺の略中央位置から、略矩形状の引っ張りベルト４０を外方に延出させて設ける構成としてある。また本実施形態においては詳しくは図示していないが、係止部１１ａと係止される係止部４０ａを裏面に備える略矩形状の引っ張りベルト４０を外側靴紐挿通部２１に縫合させて固定する構成としてある。
【００１６】
前記舌部３０は、一対の靴紐挿通部２０の間の下方に配置され、靴１を履いた際に足の甲と接し、主として靴紐が足の甲に当たることを防止するためのものである。本実施形態においては、スニーカーにおいて汎用されている、スポンジ素材を備える略矩形状の舌部３０を用いる構成としてある。
この舌部３０は、甲部１０の幅方向における左右両端のうち、外側の端部側が外側靴紐挿通部２１と直接的に連結されていると共に、内側の端部側が甲部１０に固定されている。
具体的には、図１（ｂ）、図１（ｃ）、図２、図３（ａ）の破線の円で囲む連結部分Ｇにおいて、舌部３０の踵側の外側角部付近の上面が、外側靴紐挿通部２１の踵側の内側角部付近の下面と直接的に連結されている。本実施形態においては、舌部３０と外側靴紐挿通部２１とは、縫合により連結されている。これによって、引っ張りベルト４０を開閉することで、外側靴紐挿通部２１と舌部３０とを一体的に開閉することができる。また舌部３０の内側の端辺が、爪先側から踵側に渡って、甲部１０に設ける舌部収納用切欠き１２内に収納された状態で、舌部３０が甲部１０に固定されている。本実施形態においては、舌部３０と甲部１０とは、縫合により固定されている。なお、ここで「舌部３０の踵側の外側角部付近」とは、舌部３０の踵側の外側角部から１センチ四方の領域を意味し、「外側靴紐挿通部２１の踵側の内側角部付近」とは、外側靴紐挿通部２１の内側角部から１センチ四方の領域を意味するものである。
また本実施形態においては、図１（ｂ）、図２（ａ）に示すように、舌部３０の表面側の中央位置に、靴紐６０を通すための環状の紐通し３０ａを備える構成としてある。そして紐通し３０ａに靴紐６０を通した状態で、一対の靴紐挿通部２０の間で靴紐６０を掛け渡してある。
なお、紐通し３０ａの形状、個数、配置位置などは本実施形態のものに限るものではなく、適宜変更可能である。
【００１７】
前記引っ張りベルト４０は、甲部１０の表面に着脱自在に係止可能な係止用片を構成するものである。
本実施形態においては、引っ張りベルト４０として、裏面に係止部４０ａを備える略矩形状部材を用いる構成としてある。また係止部４０ａとして雄型の面ファスナーを用いる構成としてある。
なお、本実施形態においては、厚みの薄い面ファスナーを用いる構成としてある。既述したように、係止部４０ａを構成する雄型の面ファスナーとしては、係止部４０ａの厚みと係止部１１ａの厚みとを足した厚みが、２．３ｍｍ〜２．５ｍｍ程度の厚みとなるものを用いることが望ましい。
また外側靴紐挿通部２１の外側端辺の略中央位置から外方に引っ張りベルト４０が延出するように、外側靴紐挿通部２１と引っ張りベルト４０とを固定（縫合）する構成としてある。つまり本実施形態においては、一対の靴紐挿通部２０のうち、片側の靴紐挿通部２０にだけ引っ張りベルト４０を設ける構成とし、引っ張りベルト４０が甲開口部７０を跨がない構成としてある。
勿論、引っ張りベルト４０の形状、大きさ、配置位置は本実施形態のものに限るものではなく、適宜変更可能である。
また引っ張りベルト４０に設ける係止部４０ａも面ファスナーに限るものではなく、外側側面１１の係止部１１ａと係止可能なものであれば、他のものを用いる構成としてもよい。
【００１８】
前記靴底５０及び靴紐６０は、汎用されているスニーカーが備える靴底及び靴紐と同様の部材であり、また同一機能を果たすものであることから、詳細な説明は省略するものとする。
【００１９】
次にこのような構成からなる本発明の実施形態に靴１を脱ぎ履きする際の動作を説明する。
図１〜図３を参照して、靴１を履く場合においては、まず引っ張りベルト４０を把持した状態で引っ張りベルト４０を上方へと引っ張り上げる。そうすると係止部１１ａと係止部４０ａとの係止が解かれ、引っ張りベルト４０を介して、外側靴紐挿通部２１と舌部３０とが一体的に持ち上げられる。これによって図３に示すように、甲開口部７０よりも爪先側の領域が開口され、足をスムーズに靴１に入れることができる。その後、引っ張りベルト４０を把持した状態で、引っ張りベルト４０を下方に下げ、係止部４０ａを係止部１１ａに係止させる。以上により、靴１を履くことができる。
一方、靴１を脱ぐ場合においては、まず引っ張りベルト４０を把持した状態で引っ張りベルト４０を上方へと引っ張り上げる。そうすると係止部１１ａと係止部４０ａとの係止が解かれ、引っ張りベルト４０を介して、外側靴紐挿通部２１と舌部３０とが一体的に持ち上げられる。これによって図３に示すように、甲開口部７０よりも爪先側の領域が開口される。その状態で靴１から足を外に出すことにより、靴１を脱ぐことができる。
【００２０】
このような構成からなる本発明の実施形態に係る靴１は、以下の効果を奏する。
外側靴紐挿通部２１の構成として、舌部３０と連結させると共に、爪先側の先端部分で甲部１０と固定させ、且つ係止部１１ａに着脱自在に係止可能な引っ張りベルト４０（係止部４０ａ）を更に備える構成とし、引っ張りベルト４０の開閉動作によって、外側靴紐挿通部２１と舌部３０とを一体的に開閉可能することで、靴１を脱ぎ履きする際に、引っ張りベルト４０の開閉という簡易な動作で、外側靴紐挿通部２１と舌部３０とを一体的に開閉することができる。よって靴１を脱ぎ履きする際に、足を出し入れする開口部を容易に広げることができ、一段と容易に靴１を脱ぎ履きすることができる。
また靴紐６０を備えることで、靴紐を備える靴の形状を備えながら、脱ぎ履きし易い靴１とすることができる。これにより、特に高齢者や要介護者に対して、靴の脱ぎ履きを容易に行うことができると共に、外観デザインにも優れたおしゃれ心を満たすことができる靴１を提供することができる。
【００２１】
また引っ張りベルト４０と、甲部１０の外側側面１１の表面に設ける係止部１１ａとの係止を、面ファスナーにより行う構成とすることで、引っ張りベルト４０の係止部４０ａと係止部１１ａとの係止をワンタッチで行うことができる。よって一段と脱ぎ履きし易い靴１とすることができる。
更に外側側面１１に設ける係止部１１ａの構成として、外側側面１１の表面よりも凹ませた凹所Ｕを設け、この凹所Ｕに係止部１１ａとしての面ファスナーを取り付ける構成とし、且つ凹所Ｕに面ファスナーを取り付けた状態において、面ファスナーの表面が外側側面１１の表面よりも凹んだ状態となるような厚みの薄い面ファスナーを用いる構成としている。これによって引っ張りベルト４０の係止部４０ａを係止部１１ａに係止させた状態において、外側側面１１に対する引っ張りベルト４０の出っ張り具合を効果的に低減させることができる。従って面ファスナーを備える靴でありながら、紐靴としての自然な外観を備える靴１とすることができる。
加えて、一対の靴紐挿通部２０のうち、片側の靴紐挿通部２０にだけに引っ張りベルト４０を設ける構成とし、引っ張りベルト４０が甲開口部７０を跨がない構成とすることで、一段と紐靴としての自然な外観を備え、見栄えも良い靴１とすることができる。
【００２２】
また舌部３０の構成として、甲部１０の幅方向における左右両端のうち、外側の端部側が外側靴紐挿通部２１と直接的に連結されていると共に、内側の端部側が甲部１０に固定されている構成とすることで、引っ張りベルト４０を介して外側靴紐挿通部２１と舌部３０とを一体的に開閉する際に、甲部１０と固定されている舌部３０の内側の端部側を支点とすることができ、スムーズな開閉を実現することができる。
更に上記構成（甲部１０の幅方向における左右両端のうち、外側の端部側が外側靴紐挿通部２１と直接的に連結されていると共に、内側の端部側が甲部１０に固定されている構成）に加えて、外側靴紐挿通部２１を、爪先側の先端部分（具体的には、図１（ｂ）、図２の破線の円で示す固定部分Ｆ）で甲部１０と固定（縫合）する構成が備わることで、引っ張りベルト４０を介して舌部３０を持ち上げた際に、舌部３０が必要以上に持ち上がることを効果的に抑えることができる。よって靴１を履く際に足を入れる開口部を容易に広げることができることに加えて、引っ張りベルト４０を介して舌部３０を元の位置に戻す際に舌部３０を元の位置に戻し易く、操作性に優れた一段と脱ぎ履きし易い靴１とすることができる。加えて、舌部３０が甲部１０の幅方向の左右両側で固定される構成、具体的には外側において外側靴紐挿通部２１と固定されると共に、内側において甲部１０と固定されることで、舌部３０が垂れ下がることを確実に防止することができる。よって、特に靴１を履く場合、仮に足が舌部３０に触れた場合でも、舌部３０を靴１の中に巻き込むことを効果的に防止することができる。
また図１（ｂ）、図１（ｃ）、図２、図３（ａ）の破線の円で囲む連結部分Ｇにおいて、舌部３０の踵側の外側角部付近の上面を、外側靴紐挿通部２１の踵側の内側角部付近の下面と直接的に連結させる構成とすることで、略矩形状に形成される舌部３０における外側で且つ踵側の角部付近の位置で、外側靴紐挿通部２１と固定させることができる。よって引っ張りベルト４０を介して舌部３０を開閉（上げ下げ）する際に、舌部３０の全体を無駄なく一体的に移動させることができる。従って一段と靴１を脱ぎ履きし易くて、持ち上げた舌部３０を元の位置に戻し易い靴１とすることができる。
【００２３】
また引っ張りベルト４０を備える靴紐挿通部２０は、一足の靴を左右揃えた際に外側に位置する外側靴紐挿通部２１である構成とすることで、引っ張りベルト４０の開閉動作を一段とスムーズに行うことができる。
【００２４】
また靴１においては、靴紐を備える通常の靴と同様に、靴紐６０を締めたり緩めたりすることができる構成とすることで、靴紐６０の締め具合を調整することによって、容易に靴１の甲幅を変更可能な靴とすることができる。加えて、靴１の脱ぎ履きは面ファスナーで行うことができることで、ひとたび靴紐６０を調整して使用者の足の甲幅に合わせて靴紐６０を結べば、その後の使用においては靴紐６０による甲幅の調整や、靴紐６０の結び直しが必要なく、靴の脱ぎ履きを行うことができる靴１とすることができる。よって、特に高齢者や要介護者において利便性の高い靴とすることができる。
【００２５】
なお本実施形態においては、引っ張りベルト４０を備える靴紐挿通部２０は、一足の靴を左右揃えた際に外側に位置する外側靴紐挿通部２１をする構成としたが、引っ張りベルト４０を備える靴紐挿通部２０は、一足の靴を左右に揃えた際に内側に位置する内側靴紐挿通部２とする構成としてもよい。
【００２６】
また本実施形態においては、外側靴紐挿通部２１と引っ張りベルト４０とを別部材とし、縫合により固定する構成としたが、必ずしもこのような構成に限るものではなく、外側靴紐挿通部２１と引っ張りベルト４０とを一体成形する構成としてもよい。
【００２７】
また本実施形態においては、舌部３０の構成として、外側の端部側が外側靴紐挿通部２１と直接的に連結されていると共に、内側の端部側が甲部１０に固定されている構成としたが、必ずしもこのような構成に限るものでない。例えば舌部３０は爪先側だけで甲部１０と固定されおり、引っ張りベルト４０を備える靴紐挿通部２０とは何ら固定されていない構成としてもよい。このような構成であっても、引っ張りベルト４０を備える靴紐挿通部２０をその爪先側で甲部１０と固定すると共に、紐通し３０ａに靴紐６０を通した状態で一対の靴紐挿通部２０の間で靴紐６０を掛け渡すことで、引っ張りベルト４０を備える靴紐挿通部２０と舌部３０とを間接的に連結させることができる。つまり「間接的に連結」とは、引っ張りベルト４０を備える靴紐挿通部２０と舌部３０とを固定させることなく連結させることを意味するものである。上記のような構成とすることで、引っ張りベルト４０の開閉動作により、引っ張りベルト４０を備える靴紐挿通部２０と舌部３０とを一体的に開閉することができ、脱ぎ履きし易い靴を実現することができる。即ち、上記のような構成も本発明の範囲に含まれるものである。
なお、引っ張りベルト４０を備える靴紐挿通部２０と舌部３０とを間接的に連結させる構成は上記のような構成に限るものではく、適宜変更可能である。
【００２８】
また本実施形態においては、靴１として、いわゆるスニーカーを用いる構成としたが、必ずしもこのような構成に限るものではなく、革靴など、他の靴を用いる構成としてもよい。
【産業上の利用可能性】
【００２９】
本発明によれば、靴紐を備える靴の形状を備えながら、脱ぎ履きし易い靴を提供することができることから、靴の分野における産業上の利用性が高い。
【符号の説明】
【００３０】
１            靴
１０          甲部
１１          外側側面
１１ａ        係止部
１２          舌部収納用切欠き
２０          靴紐挿通部
２１          外側靴紐挿通部
２１ａ        靴紐通し孔
２２          内側靴紐挿通部
２２ａ        靴紐通し孔
３０          舌部
３０ａ        紐通し
４０          引っ張りベルト
４０ａ        係止部
５０          靴底
６０          靴紐
７０          甲開口部
Ｆ            固定部分
Ｇ            連結部分
Ｋ            紐通し空間
Ｕ            凹所
【図１】
2019154918.tif 000003
【図２】
2019154918.tif 000004
【図３】
2019154918.tif 000005